(57)【特許請求の範囲】
【請求項１】
少なくともメルカプタン臭及び硫化水素臭に対して消臭作用を示す組成物であって、有機酸の亜鉛塩類と、アルキルジメチルアミノ酢酸ベタイン、アルキルジメチルアミンオキシド、アルキルアルキロールアミド（１：２型）、ポリオキシエチレンアルキルエーテル硫酸ナトリウム及びこれらの混合物からなる群より選択される界面活性剤とを含む消臭組成物。
【請求項２】
有機酸の亜鉛塩類と、アルキルジメチルアミノ酢酸ベタイン、アルキルジメチルアミンオキシド、アルキルアルキロールアミド（１：２型）、ポリオキシエチレンアルキルエーテル硫酸ナトリウム及びこれらの混合物からなる群より選択される界面活性剤との配合割合が、重量比で１：１〜１：１０００である請求項１記載の消臭組成物。
【請求項３】
請求項１又は２記載の消臭組成物を含む消臭シャンプー。
【発明の詳細な説明】
【０００１】
【発明の属する技術分野】
本発明は、メルカプタン臭及び硫化水素臭を有効に消臭する消臭剤組成物及び毛髪をパーマネントウエーブ剤や染毛剤で処理した後に発生するメルカプタン臭等の不快臭を除去できる消臭シャンプーに関する。
【０００２】
【従来の技術】
従来、毛髪のパーマネントウエーブ法の主流は、２浴式コールドウエーブ剤と呼ばれ、第１剤は還元剤で、例えばチオグリコール酸アンモニウムにアンモニア水を加えたｐＨ９程度の溶液であり、毛髪のシスチンＳＳ結合を切断するよう作用する。一方、第２液は、臭素酸カリウム等を用いた酸化剤で、前記ＳＳ結合を修復し、その際にウエーブを固定されるよう作用する。
このような方法によりパーマネントウエーブをかけた場合、シャンプーを行っても毛髪にメルカプタン臭が残り、著しい不快感がある。これは、毛髪ケラチン中に含硫化合物が吸着されて残り、該吸着物が徐々に分解して不快な硫化水素臭やエチルメルカプタン臭が発生するためである。
【０００３】
このようなパーマネントウエーブ剤で処理した後に発生するメルカプタン臭等を感じなくする方法として、メルカプタン臭をマスキングする香料をパーマネントウエーブ剤及びシャンプー等に賦香する方法が知られている。しかし、このような方法では、メルカプタン臭を完全にマスキングすることができず、逆に残香性の強い香料を使用した場合、その香料自体が不快臭に感じることがある。また、通常使用されている消臭剤をシャンプーに配合することも試みられているが、シャンプー基剤に対する検討はなされておらず、必ずしも十分でないのが実情である。
このような作用は、染毛剤で処理した毛髪においても全く同様である。
【０００４】
ところで、ステアリン酸亜鉛やパルミチン酸亜鉛等をパール化剤としてシャンプーに配合していた時もあったが、界面活性剤との組合せを考慮して、且つ消臭作用を期待して配合することは知られておらず、現在では優れたパール化剤が開発されほとんど使用されていないのが現状である。
【０００５】
【発明が解決しようとする課題】
従って、本発明の目的は、硫化水素臭及びメルカプタン臭等に対して十分な消臭作用を示す消臭組成物を提供することにある。
本発明の別の目的は、パーマネントウエーブ剤や染毛剤により処理した毛髪から発生するメルカプタン臭及び硫化水素臭を有効に除去し得る消臭シャンプーを提供することにある。
【０００６】
【課題を解決するための手段】
本発明によれば、少なくともメルカプタン臭及び硫化水素臭に対して消臭作用を示す組成物であって、有機酸の亜鉛塩類と、アルキルジメチルアミノ酢酸ベタイン、アルキルジメチルアミンオキシド、アルキルアルキロールアミド（１：２型）、ポリオキシエチレンアルキルエーテル硫酸ナトリウム及びこれらの混合物からなる群より選択される界面活性剤とを含む消臭組成物が提供される。
また、本発明によれば、前記消臭組成物を含む消臭シャンプーが提供される。
【０００７】
【発明の実施の形態】
以下本発明を更に詳細に説明する。
本発明の消臭組成物は、少なくともメチルメルカプタン、エチルメルカプタン等のメルカプタン臭及び硫化水素臭に対して優れた消臭作用を示し、有機酸の亜鉛塩類及び特定の界面活性剤を含有する。
【０００８】
前記有機酸の亜鉛塩類としては、ノナン酸亜鉛、イソノナン酸亜鉛、デカン酸亜鉛、イソデカン酸亜鉛、ネオデカン酸亜鉛、ウンデセン酸亜鉛、ウンデシレン酸亜鉛、ラウリン酸亜鉛、イソトリデカン酸亜鉛、ミリスチン酸亜鉛、パルミチン酸亜鉛、イソパルミチン酸亜鉛、ステアリン酸亜鉛、イソステアリン酸亜鉛、オレイン酸亜鉛、ベヘニン酸亜鉛、ラノリン脂肪酸亜鉛等の炭素数９〜２２の脂肪酸の亜鉛塩類；更には、酢酸亜鉛、プロピオン酸亜鉛、シュウ酸亜鉛、乳酸亜鉛、ピルビン酸亜鉛、クエン酸亜鉛、酒石酸亜鉛、グルコン酸亜鉛、酪酸亜鉛、イソ酪酸亜鉛、吉草酸亜鉛、イソ吉草酸亜鉛、グルタル酸亜鉛、ヘキサン酸亜鉛、ヘプタン酸亜鉛、オクタン酸亜鉛、２−エチルヘキサン酸亜鉛、安息香酸亜鉛、サリチル酸亜鉛、ナフテン酸亜鉛、ｐ−フェノールスルホン酸亜鉛又はこれらの混合物等が挙げられる。前記炭素数９〜２２の脂肪酸の亜鉛塩類の中で、ウンデシレン酸亜鉛、ラウリン酸亜鉛、ミリスチン酸亜鉛、パルミチン酸亜鉛、ステアリン酸亜鉛等は化粧品原料基準に記載された安全性が確認されているものである。
【０００９】
前記界面活性剤としては、アルキルジメチルアミノ酢酸ベタイン、アルキルジメチルアミンオキシド、アルキルアルキロールアミド（１：２型）、ポリオキシエチレンアルキルエーテル硫酸ナトリウム及びこれらの混合物からなる群より選択される界面活性剤を使用する必要がある。通常シャンプー等の界面活性剤として使用されている、例えばポリオキシエチレン（Ｐ．Ｏ．Ｅ．）アルキルエーテル硫酸トリエタノールアミン、ラウリル硫酸ナトリウム、α−オレフィンスルホン酸ナトリウム、ラウリル硫酸トリエタノールアミン、２−エチルヘキシルアルキル硫酸エステルナトリウム、ヤシ脂肪酸サルコシンカリウム、ラウロイルメチル−β−アラニンナトリウム、ヤシ油脂肪酸アミドプロピルベタイン、カルボキシ化Ｐ．Ｏ．Ｅ．ラウリルエーテルナトリウム、Ｐ．Ｏ．Ｅ．アルキルスルホコハク酸二ナトリウム等では、本発明の消臭効果が低下する恐れがある。
【００１０】
本発明に用いる界面活性剤のアルキルジメチルアミノ酢酸ベタインとしては、ラウリルジメチルアミノ酢酸ベタイン、ステアリルジメチルアミノ酢酸ベタイン等が挙げられる。アルキルジメチルアミンオキシドとしては、ラウリルジメチルアミンオキシド、ヤシ油アルキルジメチルアミンオキシド、ヤシビス（２−ヒドロキシエチル）アミンオキシド等が挙げられる。アルキルアルキロールアミド（１：２型）としては、ラウリルアルキロールアミド、ヤシ油アルキルアルキロールアミド等が挙げられる。ポリオキシエチレンアルキルエーテル硫酸ナトリウムとしては、ポリオキシエチレンラウリルエーテル硫酸ナトリウム等が挙げられる。
【００１１】
本発明の消臭組成物において、前記有機酸の亜鉛塩類と、特定の界面活性剤との配合割合は、重量比で、好ましくは１：１〜１：１０００、特に好ましくは１：１〜１：１００の範囲である。この範囲外では、所望の消臭作用が低下するので好ましくない。
【００１２】
本発明の消臭組成物を消臭剤とする際の形態は、特に限定されず、液状、固形状、ペースト状等のいずれの形態にもすることができる。
【００１３】
本発明の消臭シャンプーは、前記消臭組成物を必須成分として含有し、特にパーマネントウエーブ剤や染毛剤を使用した後の毛髪に対するシャンプーに使用することによって、メルカプタン臭や硫化水素臭等の不快臭を除去することができる。消臭シャンプーとする場合の前記消臭組成物中の特定の界面活性剤としては、有機酸の亜鉛塩類を溶解させることが可能なアルキルアルキロールアミドを中心としてシャンプーの処方を組むのが好ましい。
本発明の消臭シャンプーにおいて、前記消臭組成物の含有割合は、消臭シャンプーに対して、１〜８０重量％、特に５〜６０重量％の範囲が好ましい。
【００１４】
本発明の消臭シャンプーには、通常シャンプーに使用される酸化防止剤、防腐剤、色素、パール化剤、エモリエント剤、油性成分、増粘剤、キレート剤、香料等を本発明の消臭作用を損なわない範囲で適宜配合することができる。この際、界面活性剤等を配合することもできるが、前述のとおり本発明の特定の界面活性剤以外の成分は、本発明の消臭作用を損なう恐れがあるのでその配合には十分注意する必要がある。
【００１５】
【発明の効果】
本発明の消臭組成物は、硫化水素臭及びメルカプタン臭を有効に除去することができ、消臭シャンプー等に有効である。本発明の消臭シャンプーは、前記消臭組成物を含有するので、パーマネントウエーブ剤や染毛剤等により処理した毛髪に対して使用するシャンプーとして極めて有用である。
【００１６】
【実施例】
以下実施例及び比較例により更に詳細に説明するが本発明はこれらに限定されるものではない。
実施例１
有機酸の亜鉛塩類としてのステアリン酸亜鉛又はミリスチン酸亜鉛０．１ｇと表１に示す界面活性剤５ｇとを水に添加混合して１リットルの消臭組成物液を調製した。得られたそれぞれの消臭組成物液を１リットルの三角フラスコに５ｇ入れ、次いで０．１重量％メチルメルカプタンベンゼン溶液１００μｌを入れ、コック付きガラス管を備えたシリコン栓で密封した。２時間後に三角フラスコ中のメチルメルカプタン濃度を、北川式ガス検知管を用いて測定した。また、コントロールとして、前記消臭組成物液の代わりに、イオン交換水５ｇを用いた以外は同様に行ってメチルメルカプタン濃度を測定した。これらの結果から下記式に従って消臭率を求めた。結果を表１に示す。なお、メチルメルカプタンの初期濃度は６０ｐｐｍであった。
消臭率（％）＝（（Ｃ−Ｓ）／Ｃ）×１００
（式中Ｓ：三角フラスコ中の臭気ガス濃度（ｐｐｍ）、Ｃ：コントロールの三角フラスコ中の臭気濃度（ｐｐｍ））
【００１７】
比較例１
界面活性剤として、表２に示すものを使用した以外は実施例１と同様に消臭組成物液を調製し、消臭率を求めた。結果を表２に示す。
【００１８】
【表１】
0003650677.tif 000002
【００１９】
【表２】
0003650677.tif 000003
【００２０】
実施例２
有機酸の亜鉛塩類としてグルコン酸亜鉛又は安息香酸亜鉛を用いた以外は、実施例１と同様に消臭組成物を調製し、消臭率を測定した。結果を表３に示す。
【００２１】
【表３】
0003650677.tif 000004
【００２２】
実施例３
ラウリルジメチルアミノ酢酸ベタイン２８重量部、ヤシ油アルキルジメチルアミノオキシド１７重量部、アルキルアルキロールアミド２０．０重量部、プロピレングリコール５．０重量部、２−エチルヘキサン酸セチル１．０重量部、メチルパラベン０．２重量部、ステアリン酸亜鉛１．５重量部及びイオン交換水２７．３重量部を用いて消臭シャンプーを調製した。
長さ１０ｃｍ、重量約１ｇの毛髪の束５束（約５ｇ）を、２００ｍｌ三角フラスコ中に入れ、パーマネントウエーブ剤第１液（チオグリコール酸アンモニウム）３０ｇを加えて均一に浸した。密封し、ウォーターインキュベーターにて、３０℃、毎分１２０回、３０分間振盪させた。次に、毛髪を水洗いし、余分な水分を布で拭き取った後、パーマネントウエーブ剤第２液（臭素酸ナトリウム）３０ｇを加えて再び密封し、ウォーターインキュベーターにて、３０℃、毎分１２０回、３０分間振盪させた。その後、毛髪を水洗いし、余分な水分を布で拭き取った後、前記調製した消臭シャンプー３ｇと水５０ｇとを加えて、三角フラスコを密封し、ウォーターインキュベーターにて、３０℃、毎分１２０回、３０分間振盪させた。その後、毛髪を水洗いし、余分な水分を布で拭き取った後、三角フラスコに入れ、パラフィルムで密封して室温に放置した。１時間後、１日後及び２日後に、三角フラスコ中のヘッドスペースガスをＧＣ−ＦＰＤ装置（（株）日立製作所製、「Ｇ−３０００」）により測定し、硫化水素臭及びエチルメルカプタン臭の消臭効果を測定した。結果を表４に示す。
尚、表４中の消臭率は、前記ＧＣ−ＦＰＤ装置により求めたガスクロマトグラムの各ピーク面積を測定し、その面積比により比較した。
【００２３】
比較例２
消臭シャンプーの代わりに市販のシャンプー（有機酸の亜鉛塩類を含有せず、界面活性剤としてポリオキシエチレンラウリルエーテル硫酸トリエタノールアミンが配合されたシャンプー）を用いた以外は実施例３と同様に消臭効果を測定した。結果を表４に示す。
【００２４】
【表４】
0003650677.tif 000005